(57)【要約】【課題】  巻き締め過多が生じず、高い密封性を有するのに適切なトルクで開封でき、かつ洗浄性に優れた複合キャップを提供する。【解決手段】  容器の口部頂面を覆う天面壁を有する合成樹脂製中栓と、該中栓の周縁部を覆う環状壁と該環状壁の周縁から垂下する筒状スカート部を有する合成樹脂製キャップ本体と、からなる複合キャップであって、  前記中栓は、上面に外周縁に沿ってその近傍から上方に延びる第１係止突起が形成されているとともに、下面に容器口部を密封する密封部を有しており、  前記キャップ本体の筒状スカート部は、内周面に容器口部外周の雄螺条に螺合する雌螺条を有するとともに、前記環状壁の下面から垂下する第２係止突起が形成されており、  閉栓状態で、前記第１係止突起の内周面と前記第２係止突起の外周面が係止している、ことを特徴とする複合キャップ。【選択図】  図１
2005153972.tif 000002
【特許請求の範囲】
【請求項１】
容器の口部頂面を覆う天面壁を有する合成樹脂製中栓と、該中栓の周縁部を覆う環状壁
と該環状壁の周縁から垂下する筒状スカート部を有する合成樹脂製キャップ本体と、から
なる複合キャップであって、
前記中栓は、上面に外周縁に沿ってその近傍から上方に延びる第１係止突起が形成され
ているとともに、下面に容器口部を密封する密封部を有しており、
前記キャップ本体の筒状スカート部は、内周面に容器口部外周の雄螺条に螺合する雌螺
条を有するとともに、前記環状壁の下面から垂下する第２係止突起が形成されており、
閉栓状態で、前記第１係止突起の内周面と前記第２係止突起の外周面が係止している、
ことを特徴とする複合キャップ。
【請求項２】
前記中栓の天面壁が、前記キャップ本体の環状壁内周面より内側の部分において、前記
キャップ本体の環状壁上面と略同一高さになるように円筒乃至円錐台形状隆起部が形成さ
れている請求項１記載の複合キャップ。
【請求項３】
前記キャップ本体の環状壁内周面と前記中栓の前記隆起部外周とが、通水可能な空間を
有して配設されており、前記中栓の第１係止突起は周方向に間隔をおいて複数個形成され
ている請求項２記載の複合キャップ。
【請求項４】
前記キャップ本体の第２係止突起の下面あるいは該第２係止突起に対応する前記中栓の
天面壁上面には径方向に延びる凸部が形成されている請求項３記載の複合キャップ。
【請求項５】
前記第１係止突起の上面が内方に向けて下方に傾斜する第１傾斜面を有し、前記環状壁
内面には、前記第１傾斜面に対応する第２傾斜面を有する凹部が形成されている請求項１
ないし４のいずれか１項記載の複合キャップ。
【請求項６】
前記中栓の天面壁中央部に破断可能な薄肉部が形成されている請求項１ないし５のいず
れか１項記載の複合キャップ。
【発明の詳細な説明】
【技術分野】
【０００１】
本発明は、容器の開口部頂面を覆う合成樹脂製の中栓と、この中栓の周縁部を覆う合成
樹脂製のキャップ本体とからなる複合キャップに関するものであり、より詳しくは、容器
口部へのキャッピング時の巻き締め過多の不具合を改良し、キャップの洗浄・殺菌機能性
を向上させた複合キャップに関する。
【背景技術】
【０００２】
容器口部を密封するための複合キャップは、いずれも合成樹脂からなる中栓と、この中
栓の周縁部を覆うキャップ本体とからなり、飲料、調味料及び食用油など（以下、飲料等
という）を収容する容器として提案されている。この合成樹脂製の複合キャップは、容器
口部にキャップ本体を強く螺着することで、容器口部頂面に中栓を押さえ付け密封しその
状態を維持し、更に中栓に破断可能な薄肉部を備えて、ストローを差し込み可能にし、飲
みやすくしているものもある。また、この複合キャップには、タンパーエビデント機構を
備え、一旦開封すると使用者にすでに開封済みか否かを確認出来るように構成され、不正
開封を防止できるようにしているのも多くみられる。
このような複合キャップを開示する特許文献として、以下のものがある。
【０００３】
【特許文献１】特開２００２−２９３３４１号公報
【特許文献２】特開２００３−１２８１０１号公報
【０００４】
この特許文献１の複合キャップａは、図９に示すように、合成樹脂製のキャップ本体ｂ
と、パッキンである合成樹脂製の中栓ｃとの組み合わせからなり、キャップ本体ｂのキャ
ップ天板ｄに開口部ｅを形成する一方、容器口部ｆの密封用の中栓ｃを、環状のフランジ
ｇと中足ｈとパッキン天板ｉとから構成し、且つキャップ本体ｂの開口部ｅに臨む中栓ｃ
のパッキン天板ｉの部分ｊを厚み方向で弾性変形可能に構成して、この部分ｊをキャップ
天板ｄとほぼ同一面となるようにフラットに形成し、閉栓後の容器内圧の減圧に伴いパッ
キン天板ｉの部分ｊを凹入させるように構成してなる。このキャップ本体ｂは、そのキャ
ップ天板ｄの開口部ｅ回りに中足押圧部材ｋを連接し、隙間Ｌを埋めると共に中足ｈを押
圧して拡径方向に弾性変形させて、容器口部ｆに強固に密封することで、殺菌用のシャワ
ー液を低く温度設定をしても、中栓ｃを良好に殺菌でき、その上に容器の減圧状態を外部
から確認できて、容器内の状況変化を把握できて内容物の管理がし易くなるものである。
【０００５】
この特許文献２の複合キャップａ１は、図１０に示すように、容器口部ｆを密封するた
めの合成樹脂製の中栓ｃ１と、容器口部ｆから中栓ｃ１の離脱を防止するための合成樹脂
製のキャップ本体ｂ１との組み合わせからなり、中栓ｃ１は容器口部ｆの頂面を覆う天面
壁ｍを有し、キャップ本体ｂ１は中栓ｃ１の天面壁ｍの上面の外周縁部を覆う環状壁ｎと
この環状壁ｎの周縁から垂下する筒状スカート壁ｏを有してなるものである。そして、こ
の筒状スカート壁ｏは上部の主部ｐとその下面に周方向破断ラインｑを介して設けたタン
パーエビデント裾部ｒとからなり、開封時のトルクが過大にならず、タンパーエビデント
特性を保持しつつ、安価に製作でき且つ洗浄液による錆などの不都合がないものである。
【発明の開示】
【発明が解決しようとする課題】
【０００６】
上記の複合キャップａは、殺菌用のシャワー液を低く温度設定をしても、中栓ｃを良好
に殺菌できるが、そのために、キャップ本体ｂの中足押圧部材ｋにより、隙間Ｌを埋める
と共に中栓ｃの中足ｈを押圧して拡径方向に弾性変形させて、容器口部ｆに中栓ｃを強固
に密封している。したがって、キャップ本体ｂのキャップ天板ｄの内周面、中足押圧部材
ｋ及び開口部ｅと、中栓ｃの環状のフランジｇ、中足ｈ及びパッキン天板ｉとが密着して
いるために、キャップ本体ｂの開封トルクが過大となる。この過大な開封トルクを避ける
ために、キャップ本体ｂから中足押圧部材ｋを取り除けば、中栓ｃに隙間Ｌが生じ低温の
殺菌用のシャワー液では中栓ｃを良好に殺菌できなくなり、更に、密封性を確実にするた
めに、容器口部ｆにキャップ本体ｂを強く螺着することになり、キャップ天板ｄに開口部
ｅがあるため、キャップ天板ｄが外方に容易に引っ張られ変形し、その結果巻き締め過多
が生じ、かえって容器口部ｆに中栓ｃを押さえ付ける圧力が減り、確実な密封性を得るこ
とが出来なくなる。また、中足押圧部材ｋが挿入される中足ｈとパッキン天板ｉとの間の
隙間に殺菌液及び洗浄液が溜まることがある。
【０００７】
上記の複合キャップａ１は、開封時のトルクが過大にならないように配慮されているが
、キャップ本体ｂ１の環状壁ｎは開口部ｅがあるために、キャップ天板ｄが外方に容易に
引っ張られて変形する虞があり、知らず知らずのうちに巻き締め過多が生じ、容器口部ｆ
に中栓ｃを押さえ付ける圧力が減り、確実な密封性を得ることが出来ないことになる。
【０００８】
そこで、本発明の目的は、巻き締め過多が生じず、高い密封性を有するのに適切なトル
クで開封できるようにした、複合キャップを提供することにある。
また、本発明の他の目的は、複合キャップの構造上の問題である中栓とキャップ本体の
接合部分に異物が挟まるなどの不具合を解消するために、洗浄し易くした複合キャップを
提供することにある。
【課題を解決するための手段】
【０００９】
本発明は、上記目的を達成するために提案されたものであって、下記の構成からなるこ
とを特徴とするものである。
すなわち、本発明によれば、容器の口部頂面を覆う天面壁を有する合成樹脂製中栓と、
該中栓の周縁部を覆う環状壁と該環状壁の周縁から垂下する筒状スカート部を有する合成
樹脂製キャップ本体と、からなる複合キャップであって、
前記中栓は、上面に外周縁に沿ってその近傍から上方に延びる第１係止突起が形成され
ているとともに、下面に容器口部を密封する密封部を有しており、
前記キャップ本体の筒状スカート部は、内周面に容器口部外周の雄螺条に螺合する雌螺
条を有するとともに、前記環状壁の下面から垂下する第２係止突起が形成されており、
閉栓状態で、前記第１係止突起の内周面と前記第２係止突起の外周面が係止している、
ことを特徴とする複合キャップが提供される。
【００１０】
また、本発明によれば、前記中栓の天面壁が、前記キャップ本体の環状壁内周面より内
側の部分において、前記キャップ本体の環状壁上面と略同一高さになるように円筒乃至円
錐台形状隆起部が形成させている上記複合キャップが提供される。
【００１１】
また、本発明によれば、前記キャップ本体の環状壁内周面と前記中栓の前記隆起部外周
とが、通水可能な空間を有して配設されており、前記中栓の第１係止突起は周方向に間隔
をおいて複数個形成されている上記複合キャップが提供される。
【００１２】
また、本発明によれば、前記キャップ本体の第２係止突起の下面或いは該第２係止突起
に対応する前記中栓の天面壁上面には径方向に延びる凹凸が形成されている上記複合キャ
ップが提供される。
【００１３】
また、本発明によれば、前記第１係止突起の上面が内方に向けて下方に傾斜する第１傾
斜面を有し、前記環状壁内面には、前記第１傾斜面に対応する第２傾斜面を有する凹部が
形成されている上記複合キャップが提供される。
【００１４】
また、本発明によれば、前記中栓の天面壁中央部に破断可能な薄肉部が形成されている
上記複合キャップが提供される。
【発明の効果】
【００１５】
本発明によれば、合成樹脂製キャップ本体に合成樹脂製中栓を装着し、その状態で容器
口部に合成樹脂製キャップ本体を螺合して閉栓状態にすると、中栓の第１係止突起とキャ
ップ本体の第２係止突起とが係止してそれ以上容器口部にキャップ本体を螺合し続け得ず
、その一方で、キャップ本体の環状壁の下面が中栓の上面を押圧して、中栓の下面にある
密封部材が容器口部に密着して容器口部を密封する。したがって、キャップ本体の容器口
部に対する巻き締め過多が生じ得ず、密封部材が容器口部に密着して高い密封性を有する
ことになり、キャップ本体の環状壁の下面が中栓上面を押圧しているだけなので、適切な
トルクで容器口部からキャップ本体及び中栓を開封できる効果がある。
【００１６】
また、中栓の天面壁に、キャップ本体の環状壁内に嵌め込み可能の円筒乃至円錐台形状
隆起部を設けて、この隆起部とキャップ本体の環状壁上面とをほぼ同一高さにすることに
よって、上記効果に加えて、キャップ本体に中栓を嵌め込んだ状態で凸凹がなく、取り扱
い易くなる効果がある。
【００１７】
また、キャップの洗浄に際し、洗浄水を散布すると、この洗浄水がキャップ本体の環状
壁内周面と中栓の隆起部外周との間の通水可能な空間を通り、更に中栓に間隔をおいて形
成された複数個の第１係止突起間も通って容器口部回りの汚れを洗い落とすことができる
し、さらに、キャップ本体の環状壁内周面と中栓の隆起部外周との間の通水可能な空間を
通った洗浄水は、更にキャップ本体の第２係止突起の下面或いはこれに対応する中栓の天
面壁上面に形成された径方向に延びる凹凸を通り、中栓に間隔をおいて形成された複数個
の第１係止突起の間も通って容器口部回りの汚れをも洗い落とすことができる。
【００１８】
また、中栓の第１係止突起の第１傾斜面に対して、これに対応するキャップ本体の第２
傾斜面を有する凹部により押圧するから、中栓の密封部材が容器口部に垂直方向に荷重を
与え、容器口部を好適に密封することができる。
【００１９】
さらに、中栓の天面壁中央部に形成された破断可能な薄肉部を形成することにより、当
該部分をストローなどで破断すれば容器の内容物を利用しやすい効果がある。
【発明を実施するための最良の形態】
【００２０】
以下に、図面を参照して本発明を実施するための好適な形態を説明する。
【実施例】
【００２１】
図１は本発明の複合キャップを容器の口部に装着した状態の断面図、図２は本発明の複
合キャップの中栓の断面図、図３はこの中栓の平面図、図４は本発明の複合キャップのキ
ャップ本体の断面図、図５はこのキャップ本体の平面図である。
図において、複合キャップ１は、容器２の口部３（以下、口部３を示す場合に容器口部
３という）頂面を覆う天面壁４を有する合成樹脂製中栓５（以下、単に中栓５という）と
、この中栓５の周縁部を覆う環状壁６とこの環状壁６の周縁から垂下する筒状スカート部
７を有する合成樹脂製キャップ本体８（以下、単にキャップ本体８という）と、からなる
ものであり、前記中栓５は、上面に外周縁に沿ってその近傍から上方に延びる第１係止突
起９が形成されていると共に、下面に容器口部３を密封する密封部１０を有しており、前
記キャップ本体８の筒状スカート部７は、内周面に容器口部３外周の雄螺条１１に螺合す
る雌螺条１２を有すると共に、前記環状壁６の下面から垂下する第２係止突起１３が形成
されており、閉栓状態で、第１係止突起９の内周面９ａと第２係止突起１３の外周面１３
ａが係止しているものである。
【００２２】
前記容器２は、形状・材質ともに特に限定されるものではないが、容器２の内容物が、
通常、飲料、調味料及び食用油などであることから、これらに対して適性のあるポリエチ
レン、ポリプロピレン、ポリエチレンテレフタレートなどが好適に用いられ、形状は円筒
状、角型筒状などのボトルタイプに主として用いられ、通常、２軸延伸ブロー成形して作
製される。この実施例では、容器２は円筒形状のボトルであり、容器口部３、肩部、胴部
及び底部からなり、容器口部３には鍔２０があり、その上にキャップ本体８の雌螺条１２
に螺合する雄螺条１１があり、キャップ本体８が螺着されるようになっている。
【００２３】
前記中栓５は、容器口部３頂面を覆うと共に密封するものであり、その天面壁４上面の
外側に環状の前記第１係止突起９を形成しているが、この実施例では容器口部３周辺の洗
浄性を高めるため間隔２１を空けて複数個の第１係止突起９を環状に配設している。更に
、この第１係止突起９より内側に位置し前記キャップ本体８の第２係止突起１３の当接面
２２より内側の部分に、前記キャップ本体８の環状壁６上面と略同一高さになるように円
筒乃至円錐台形状の隆起部２３が形成されている。また、この天面壁４下面には容器口部
３を密封する密封部１０があり、その密封部１０は円筒部２４を含んでいる。この円筒部
２４の側壁には環状凸部２５が形成されており、その側壁先端部が窄まり、容器口部３内
に挿入し易く且つ環状凸部２５により挿入後の密封性を担保している。なお、中栓５の天
面壁４の外径は、前記キャップ本体８の筒状スカート部７の内周面に設けた雌螺条１２の
谷部の径よりやや小さく山部よりやや大きくして、キャップ本体８に中栓５を装着した後
に脱落しないようにしている。
なお、図６、７に示すような中栓５ａであっても良い。この中栓５ａは、その天面壁４
中央部に破断可能な薄肉部２６が形成され、その薄肉部２６にストローなどで圧力を加え
ることで破断することが出来、容易に開封することが出来るため、容器２の飲料などの内
容物を利用しやすくなる。
【００２４】
前記キャップ本体８は、前記中栓５の周縁部を覆うと共に中栓５を介して容器口部３を
密封したり、開封したりするものであり、前記環状壁６とこの環状壁６から垂下する筒状
スカート部７とを有し、その筒状スカート部７の外周面に軸方向のナール３０を形成して
最初の開封時及び螺着脱時のすべり止めとし、更に、前述の通り筒状スカート部７の内周
面に容器口部３の雄螺条１１に螺合する雌螺条１２がある。その筒状スカート部７の下端
に不正開封防止のタンパーエビデント機構３１を介在させてバンド３２を設けて、このバ
ンド３２と筒状スカート部７及び環状壁６とを一体構成としている。このタンパーエビデ
ント機構３１は、筒状スカート部７とその下方のバンド３２とを易破断性のつなぎリブ３
３にて接続すると共に、筒状スカート部７及びバンド３２にストッパー３４を設けて、こ
れらを螺着方向（密封方向）に同調回転させて、容器口部３にキャップ本体８を螺着（密
封）し、逆に、キャップ本体８を螺脱方向（開封方向）に回転させれば、容器口部３にバ
ンド３２を残してつなぎリブ３３を破断することになり、不正開封が直ちにわかり、キャ
ップ本体８を容器口部３から螺脱（開封）することができるものである。
【００２５】
キャップ本体８に前記中栓５を装着すると、その環状壁６内に中栓５の隆起部２３を挿
入することになるが、その際環状壁６内周面と隆起部２３外周とが、通水可能な空間３５
を有するようになっており、更に、キャップ本体８の第２係止突起１３の下面或いはこの
第２係止突起１３に対応する中栓５の天面壁４の当接面２２には、径方向に延びる凹凸が
形成されて（実施例１では当接面２２に凸部２２ａが形成されている）通路となり、中栓
５の複数の第１係止突起９による間隔２１と相俟って、容器口部３回りの洗浄および／ま
たは殺菌のための洗浄水および／または殺菌水が通りやすくし、洗浄性および／または殺
菌性を高めている。
【００２６】
また、環状壁６の下面に第２係止突起１３を設け、その内側に、図８に示すように、中
栓５の第１係止突起９に当接する凹部３６を形成し、第１係止突起９の上面が内側に向け
て下方に傾斜する第１傾斜面９ｂを有し、この第１傾斜面９ｂに対応して凹部３６に第２
傾斜面３６ａを形成している。したがって、中栓５の第１係止突起９の第１傾斜面９ｂに
対し、キャップ本体８の第２傾斜面３６ａを有する凹部３６により押圧するため、容器口
部と当接している中栓５の天面壁４部分が容器口部３に垂直方向に荷重を与えることにな
り、容器口部３を効率良く密封することになって、容器口部３の密封性を向上させること
になる。
【００２７】
次に、上記構成になる複合キャップ１の利用方法について説明する。
キャップ本体８の下面側から内部に中栓５を押し込むと、中栓５の天面壁４外周部の変
形により簡単にキャップ本体８の内周面の雌螺条１２を乗り越えて、キャップ本体８に中
栓５を装着でき以後脱落することがない。また、中栓５の天面壁４外周部をキャップ本体
８の雌螺条１２に係止させる代わりに、雌螺条１２の上方に周状に設けた突状により係止
することができる。容器２内に飲料などの内容物を充填し、そのあとキャッピングライン
で、容器口部３にキャップ本体８と中栓５との一体物を螺合して行くと、容器口部３に中
栓５の円筒部２４が挿入して行き、環状凸部２５により密封状態となる。さらに、なおも
強く螺合すると、キャップ本体８の凹部３６の第２傾斜面３６ａが中栓５の第１係止突起
９の第１傾斜面９ｂを押圧して、その結果、容器口部３に垂直方向に荷重を与え、容器口
部３を強固に密封することができる。
【００２８】
この際、キャップ本体８を強く螺合し過ぎる状態になっても、キャップ本体８の第２係
止突起１３の外周面１３ａが第１係止突起９の内周面９ａに当たり係止して、それ以上螺
合することが出来ず、更にキャップ本体８の環状壁６が変形せず、いわゆる巻き締め過多
現象が生じない。また、タンパーエビデント機構３１のストッパー３４によりキャップ本
体８を螺着方向（密封方向）に同調回転させて、容器口部３にキャップ本体８を螺着（密
封）することになる。そして、容器口部３回りの汚れを除去するために洗浄水を散布する
と、洗浄水は環状壁６内周面と隆起部２３外周との空間３５を通り、キャップ本体８の第
２係止突起１３の下面と、第２係止突起１３に対応する中栓５の天面壁４上面に形成した
凸部２２ａとの間に形成される通路を通り、更に中栓５の複数の第１係止突起９による間
隔２１を通って抜け、容器口部３回りを有効に洗浄することが出来る。さらに中栓５の天
面壁４上面の外側を外方に向けて下方に傾斜して成形すると、洗浄液および／または殺菌
液の排出を好適に行なうことができる。
【００２９】
容器の開封に際しては、キャップ本体８を開封方向に回すと、タンパーエビデント機構
３１の易破断性のつなぎリブ３３を切断し、最初はキャップ本体８が容器口部３から離れ
て、その後に中栓５が外れるために、複合キャップ１を比較的力を必要としないで容易に
外すことが可能となり、飲料等を取り出すことができる。容器２内に飲料等が残留してい
る場合には、再び容器口部３に複合キャップ１を螺着することができ保存が容易となり、
その際キャップ本体８を強く螺合し過ぎる状態になっても、上述したように巻き締め過多
現象が生じない。一方、容器口部３から複合キャップ１を一度外すと、バンド３２が容器
口部３の鍔２０まで落下するから、もし上記した螺脱が不正開封であれば、正当開封者は
バンド３２が鍔２０に落下していることを目視でき且つ易破断性のつなぎリブ３３を切断
していることを容易に目視することもでき、不正開封の事実を直ぐにしかも明確に認識で
き、危険を未然に回避できる。なお、図６、７に示す中栓５ａの場合は、その天面壁４中
央部の薄肉部２６にストローなどで圧力を加え破断することで容易に開封出来て、容器２
の飲料などの内容物を利用しやすくなる。この場合においても、キャップ本体は剛性のあ
る材料で構成し、中栓はストローにより突き刺しやすい材料で構成することが望ましい。
【００３０】
以上、本発明の実施例を説明したが、具体的な構成はこれに限定されず、本発明の要旨
を逸脱しない範囲での変更は適宜可能であることは理解されるべきである。
【産業上の利用可能性】
【００３１】
本発明の複合キャップは、液体等を収容する容器一般に利用可能であるが、巻き締め過
多が生ずることなく高い密封性を有し、しかも適切なトルクで開封できることが望まれる
場合に利用可能性が極めて高くなる。
【図面の簡単な説明】
【００３２】
【図１】本発明の実施例に示した複合キャップを容器の口部に装着した状態の断面図である。
【図２】本発明の実施例に示した複合キャップの中栓の断面図である。
【図３】その中栓の平面図である。
【図４】本発明の実施例に示した複合キャップのキャップ本体の断面図である。
【図５】図４のキャップ本体の平面図である。
【図６】本発明の複合キャップの他の例を示す中栓の断面図である。
【図７】図６の中栓の平面図である。
【図８】本発明の実施例に示した複合キャップを容器の口部に装着した状態の主要部の断面図である。
【図９】特許文献１に示された従来例の半裁断面図である。
【図１０】特許文献２に示された従来例の半裁断面図である。
【符号の説明】
【００３３】
１，ａ，ａ１              複合キャップ
２                        容器
３                        口部（容器口部）
４，ｍ                    天面壁
５，５ａ，ｃ，ｃ１        合成樹脂製中栓
６，ｎ                    環状壁
６ａ                      広幅部分
７，ｏ                    筒状スカート部
８，ｂ，ｂ１              合成樹脂製キャップ本体
９                        第１係止突起
９ａ                      内周面
９ｂ                      第１傾斜面
１０                      密封部材
１１                      雄螺条
１２                      雌螺条
１３                      第２係止突起
１３ａ                    外周面
２０                      鍔
２１                      間隔
２２                      当接面
２２ａ                    凸部
２３                      隆起部
２４                      円筒部
２５                      環状凸部
２６                      薄肉部
３０                      ナール
３１                      タンパーエビデント機構
３２                      バンド
３３                      つなぎリブ
３４                      ストッパー
３５                      空間
３６                      凹部
３６ａ                    第２傾斜
ｄ                        キャップ天板
ｅ                        開口部
ｆ                        容器口部
ｇ                        フランジ
ｈ                        中足
ｉ                        パッキン天板
ｊ                        部分
ｋ                        中足押圧部材
Ｌ                        隙間
ｐ                        主部
ｑ                        周方向破断ライン
ｒ                        タンパーエビデント裾部
【図１】
2005153972.tif 000003
【図２】
2005153972.tif 000004
【図３】
2005153972.tif 000005
【図４】
2005153972.tif 000006
【図５】
2005153972.tif 000007
【図６】
2005153972.tif 000008
【図７】
2005153972.tif 000009
【図８】
2005153972.tif 000010
【図９】
2005153972.tif 000011
【図１０】
2005153972.tif 000012